(57)【特許請求の範囲】
【請求項１】
被施錠箱体の蓋板表面に、表面に符号を表示した頭部とステムとを有し、ステムに頭部からの距離が相異なる切欠を形成したＡ型とＢ型の押ボタンを暗証符号に応じてマトリックス状に配設すると共に、蓋板に平行な関係位置で相互に重合するストッパプレート及び邪魔板の開口を挿通して蓋板の厚さ方向に移動可能に案内し、一方、蓋板内部には、手指によりレバーを回動操作することによって蓋板に平行に移動するストッパプレートと、ストッパばねを介してこのストッパプレートに駆動される邪魔板を設け、この邪魔板に形成された係止板をラッチに係合させることによりラッチの回動を阻止して施錠するようにしたものにおいて、全てのＡ型の押ボタンは押さず全てのＢ型の押ボタンを押すことにより、全ての押ボタンの切欠が邪魔板の開口端縁の位置に整合して邪魔板が移動可能になり、レバーの回動操作により邪魔板が移動して係止板がラッチとの係合を解き、以て蓋板のラッチの回動を可能として蓋板を解錠するようにしたことを特徴とするボタン式ラッチ錠。
【発明の詳細な説明】
【０００１】
【発明の属する技術分野】
この発明は、マンション等の玄関口に設置される郵便箱等の箱体を施解錠するためのラッチ錠に係り、特に、箱体の蓋板に配設された複数の押ボタンを適正操作することにより解錠されるボタン式ラッチ錠に関する。
【０００２】
【従来の技術】
郵便箱等の施解錠装置としては、従来からダイヤル錠がもっとも一般的で広く使用されている。
【０００３】
このダイアル錠は、例えば本出願人が先に提案した特願２００１−１１１４２８に添付した図面の図４に示すように、ダイヤル機構の外筒に形成された外側切欠と内筒に形成された内側切欠とがラッチ収納スリットに整合されていないときには蓋板を開ける際のラッチの回動が不可能で施錠状態にあり、ダイヤル機構を適正操作して外側切欠と内側切欠がラッチ収納スリットに整合したときに限りラッチの回動が可能となって蓋板が解錠状態となる構造となっている。
【０００４】
要するにラッチの回動を不可能とするか可能とするかを施解錠の構成要素とした構造のものであり、構成要素を操作するためにダイヤル機構を使用している。
【０００５】
【発明が解決しようとする課題】
しかしながら、ダイヤル機構は解錠に際してダイヤルを時計方向或いは半時計方向に回動させて、ダイヤルの外周に表示された目盛を指標に合わせる操作を複数回行う必要があり、特に暗い場所での操作は困難を伴う。
【０００６】
特に、高齢者や弱視者にとって細かい目盛の位置合せは更に困難であり、小さな子供にとっても操作が複雑である。
【０００７】
そこで、この発明は、高齢者や子供でも容易に操作できるラッチ錠を提供し、以て上記した不都合を解消することを目的としている。
【０００８】
【課題を解決するための手段】
上記の目的を達成するため、この発明は、被施錠箱体の蓋板表面に、表面に符号を表示した頭部とステムとを有し、ステムに頭部からの距離が相異なる切欠を形成したＡ型とＢ型の押ボタンを暗証符号に応じてマトリックス状に配設すると共に、蓋板に平行な関係位置で相互に重合するストッパプレート及び邪魔板の開口を挿通して蓋板の厚さ方向に移動可能に案内し、一方、蓋板内部には、手指によりレバーを回動操作することによって蓋板に平行に移動するストッパプレートと、ストッパばねを介してこのストッパプレートに駆動される邪魔板を設け、この邪魔板に形成された係止板をラッチに係合させることによりラッチの回動を阻止して施錠するようにしたものにおいて、全てのＡ型の押ボタンは押さず全てのＢ型の押ボタンを押すことにより、全ての押ボタンの切欠が邪魔板の開口端縁の位置に整合して邪魔板が移動可能になり、レバーの回動操作により邪魔板が移動して係止板がラッチとの係合を解き、以て蓋板のラッチの回動を可能として蓋板を解錠するようにしたことを特徴とする。
【０００９】
【実施例】
以下、図面に示す実施例に基づいて、この発明について説明する。
図１において符号１０は郵便受け箱（以下単に郵便箱という）を示し、この郵便箱１０には蓋板２０がヒンジにより回動可能に取付けられ、郵便箱本体の一端に形成された係止片１１と蓋板に配設されたラッチ３０の先端部との係合により蓋板２０は施錠された状態にある。
【００１０】
すなわち、ラッチ３０は、蓋板２０に一体的に形成されたケーシング２１の内部において、軸３１の回りを回動可能に支承されると共に、長い圧縮コイルばねとしてのラッチばね３２の弾力により反時計方向に付勢され、その結果ラッチ３０の先端部は係止片１１に当接可能に臨んでいる。
【００１１】
一方、ケーシング２１の内部には後述する邪魔板６０が配設され、邪魔板に形成された係止板６１がラッチ３０の後端部３３に図４で下方から当接し、そのためラッチ３０は時計方向に回動不可の状態にあり、蓋板２０は開けられない施錠状態となっている。
【００１２】
つまりこのラッチ錠は、解錠するときには、図９に示すように、蓋板２０を手前に引くことによりラッチ３０を時計方向に回動させて、ラッチの前端と上記係止片１１との係合を解く必要があるが、図１に示す施錠状態では、ラッチ３０が係止板６１によりその回動を阻止されているのである。
【００１３】
一方、図２に示すように、ケーシング２１の前面には９個の開口２２がマトリックス状に形成され、これらの開口には夫々押ボタン４０が配設されている。
【００１４】
各押ボタン４０は、頭部４１にステム４２が固定された構造で、頭部表面には１乃至９の番号が夫々表示されている（図１及び図２、図５及び図６参照）。
【００１５】
そして、各押ボタン４０は、図１及び図４に示すように、圧縮コイルばねとしてのボタンばね４５の弾力により外方に付勢されているが、頭部４１の後端のフランジ４３と開口２２の開口端縁との係合により抜け止めが施されている（図７参照）。
【００１６】
また、図４乃至図８に示すように、各ステム４２の内端部に断面形状が直角三角形の係止突起４６が突設されており、更に、図４乃至図６において左方の側端縁には長方形の切欠４４が形成されている。
【００１７】
切欠４４には、図５に示すように、頭部表面からの距離の大きい（距離Ｈ１）切欠と、頭部表面からの距離の小さい（距離Ｈ２）切欠の二種類があり、以後、前者の切欠を有する押ボタンをＡ型とし、後者の切欠を有する押ボタンをＢ型とするものとする。
【００１８】
これらＡ型、Ｂ型の押ボタンは、各ボタン式ラッチ錠に割り当てられた暗証符号に応じて、夫々異なった展開パターンで配設されている。
【００１９】
他方、ケーシング２１内には、図４に示すように、ガイド板５０、邪魔板６０及びストッパープレート７０がステム４２に対して垂直となる位置関係で重合して配設されている。
【００２０】
これらの内ガイド板５０は、平板に９個の第１開口５１、５１が押ボタンの配列と同じ展開パターンで形成された構造で、ケーシング２１内に固定されており、押ボタンのステム４２の動きを案内する役目をなす。
【００２１】
また、邪魔板６０は、平板に９個の第２開口６２が押ボタンの配列と同じ展開パターンで形成された構造で、ガイド板５０に対して左右方向に移動可能に案内されている。
【００２２】
この邪魔板６０のほぼ中央部には係止板６１が垂直方向に切り起こされ、通常の状態では平面的にみて係止板の位置はラッチ３０の後端部３３と同位置にあって、前述したようにラッチの時計方向への回動を阻止している。
【００２３】
更に、邪魔板６０の一方の端縁（図４で右側の端縁）には、前後及び左右方向に位置を違えて、第１及び第２フランジ６４、６６が折曲げによって形成されている。
【００２４】
そして、第１フランジ６４には、後述するストッパープレート７０のばね軸７５の先端と摺動可能に嵌合する連結孔６３が開口しており、第２フランジ６６の外面は後述するリターンばね６５の端部のばね受けとなっている。
【００２５】
更にまた、ストッパプレート７０は、平板に９個の第３開口７１、７１が押ボタンの配列と同じ展開パターンで形成された構造で、夫々の開口の側縁には支柱７２が垂設されている。
【００２６】
また、ストッパプレート７０の一方の端縁（図４で右側の端縁）には、ストッパばね７６を巻装したばね軸７５が突設されていると共に、後述するレバー８０のアーム８２が挿通する二つの角孔７７、７７が形成されている。
【００２７】
一方、図１に示すように、ケーシング２１には、レバー軸８１によって、レバー８０が回動可能に支承されており、このレバー８０の両端に形成されたアーム８２は、上記ストッパプレートの角孔７７内に挿通されている。
【００２８】
上記した構造において、ケーシング内面と上記第２フランジ６６との間に弾装されたリターンばね６５の弾力により、邪魔板６０は左方向に付勢され、第２開口６２の右側端縁６７がステム４２の右側側縁に弾接される。
【００２９】
また、ストッパプレート７０はストッパばね７６の弾力により左方向に付勢され、第３開口７１の右側端縁７８もステム４２の右側端縁に弾接される。
【００３０】
上記した状態において、ステム４２とストッパプレートの支柱７２とは平面的にみて互いに隣接する位置にあり（図７参照）、この状態で押ボタン４０を押し込むと、ステムの係止突起４６の下面は支柱７２の項面７３上に係止されて、押ボタンは没せられた状態で保持される。（図８）この際、支柱７２は弾力により一時左側に歪んだあと原状に復帰する。
【００３１】
次に、このラッチ錠による施解錠の仕組みについて説明する。
【００３２】
押ボタン４０には前述したようにＡ型とＢ型との二種類がある。
【００３３】
しかして、頭部からの距離が大きい切欠を有するＡ型では、押ボタンを押さない通常の状態において、切欠の位置が邪魔板６０の位置に整合され、頭部からの距離が小さい切欠を有するＢ型では押ボタンを押した状態において、切欠の位置が邪魔板の位置に整合されるように設定されている。（図７、８）
【００３４】
したがって、全てのＡ型の押ボタンを押すことなく、かつ、全てのＢ型の押ボタンを押すことにより、全ての押ボタンの切欠４４が邪魔板６０の位置に整合される。
【００３５】
逆に、上記の条件を満たさない場合には、どれかの押ボタンの切欠が邪魔板の位置に整合されないこととなる。
【００３６】
全ての切欠が邪魔板の位置に整合された状態でレバー８０に指先９０を掛けて手前に引くと、アーム８２は右方向に移動し、ストッパプレート７０も右方向に移動する。（図９）
【００３７】
ストッパプレート７０の移動はストッパばね７６を介して邪魔板６０を右方向に付勢する。予って邪魔板の第２開口６２の左側端縁６８が切欠４４内に入り込むことにより邪魔板全体が右方に移動し、係止板６１も移動される結果ラッチ３０の後端部３３からクリアされる。
【００３８】
したがって、レバーを引きながら蓋板２０を手前に引くと、図９に示されるように解錠状態となって蓋板は開かれる。
【００３９】
また、ストッパプレートの第３開口７１の左右方向の長さは押ボタンのステム４２の幅寸法よりも大きく設定されており、ストッパプレートが右手に移動されると押ボタンの係止突起４６と支柱７２の項面７３との係合が解かれ、レバーから指先を放すとともに押ボタンは開口２２から突出した原状に復帰されてリセットされる。
【００４０】
逆に、押ボタンの切欠が１つでも邪魔板の位置に整合されない状態でレバーを引いても、ストッパプレート７０は移動するが邪魔板の第２開口６２の左側端縁６８は切欠４４内に入り込むことができず、邪魔板の移動が阻止される。
【００４１】
したがって、係止板６１はラッチの後端部３３からクリアされること無く施錠状態が保持される。
【００４２】
次に、このラッチ錠の暗証符号の組合せ数について考察する。
【００４３】
Ｂ型の押ボタンを１つとし、他は全てＡ型の押ボタンとすると、この場合の暗証符号の数は９個から１個を選ぶ組合せの数であり、９が得られる。
【００４４】
また、Ｂ型の押ボタンを２つとすれば組合せの数は３６、３つとすれば８４、４つとすれば１２６、５つとすれば１２６、６つとすれば８４、７つとすれば３６、８つとすれば９となり、合計５１０の組合せの数が得られ、郵便箱の錠としては充分で実用に供し得る。
【００４５】
【発明の効果】
以上の説明から明らかなように、この発明は、郵便箱の蓋板表面に複数の押ボタンを配設して、切欠位置の異なるＡ型とＢ型の押ボタンを割り振り、Ａ型及びＢ型の押ボタンに応じた適性な押ボタン操作により蓋板を解錠するようにしたので、従来のダイヤル錠のように細かい目盛合せをする必要がなく、押ボタンの番号を見て高齢者や弱視者でも容易に操作できるという効果を奏する。
【００４６】
また、暗証符号に応じた番号の押ボタンを押すだけであるから、小さな子供でも容易に操作が可能である。
【００４７】
更にまた、蓋板を開くことにより、各押ボタンは自動的にリセットされて施錠状態となるので、一々施錠操作の必要がなく、施錠忘れの心配もない。
【図面の簡単な説明】
【図１】この発明のボタン式ラッチ錠の縦断面図で施錠状態を示す。
【図２】蓋板のケーシングの正面図。
【図３】蓋板のケーシングの裏面図。
【図４】押ボタン、ガイド板、邪魔板、ストッパプレート、ラッチ及びレバーの構成を示す斜視図。
【図５】Ａ型の押ボタンの正面図。
【図６】Ｂ型の押ボタンの正面図。
【図７】Ａ型の押ボタンのステムと支柱との関係を示す説明図。
【図８】Ｂ型の押ボタンのステムと支柱との関係を示す説明図。
【図９】図１と同じ縦断面図で解錠状態を示す。
【符号の説明】
１０  被施錠箱体（郵便箱）
２０  蓋板
２１  ケーシング
２２  開口
３０  ラッチ
３３  後端部
４０  押ボタン
４１  頭部
４２  ステム
４４  切欠
４６  係止突起
５０  ガイド板
６０  邪魔板
６１  係止板
７０  ストッパプレート
７２  支柱
８０  レバー
８２  アーム
【図１】
0004727086.tif 000002
【図２】
0004727086.tif 000003
【図３】
0004727086.tif 000004
【図４】
0004727086.tif 000005
【図５】
0004727086.tif 000006
【図６】
0004727086.tif 000007
【図７】
0004727086.tif 000008
【図８】
0004727086.tif 000009
【図９】
0004727086.tif 000010